(57)【要約】【課題】、履物に装着した前鼻緒と後ろ鼻緒の寸法を常に調節可能とする。【解決手段】前鼻緒芯１０下の履物台に穿った前鼻緒取付け孔２に回転体装着器１２を設け、前鼻緒を上下に移動させる螺子付き回転体１１に前鼻緒芯１０を設け、この回転体１１の装着器１２内部に入れた回転体を回転させることにより前鼻緒を上下に移動して調整し、鼻緒の鼻緒芯４は左右後ろ鼻緒の取付け孔３より鼻緒芯４の端部を入れて、鼻緒芯載せ台２２に載せて鼻緒芯を重ね合わせて寸法調整し、鼻緒芯を押さえ板２３で押さえて、押さえ蓋２１を固定鉤２６で寸法調整台２２に固定する寸法調整手段２０を有する。寸法調整手段２０は履物おいて、該履物台１裏に装着され、その押さえ蓋の固定鉤を着脱して鼻緒芯の滑り止め凹凸の位置を変更して寸法調整するように設計されている。【選択図】図１
2006006350.tif 000002
【特許請求の範囲】
【請求項１】
前鼻緒芯下の履物台に穿った前鼻緒取付け孔に回転体の装着器を設け、回転体を半切した部分を合わせ加工した回転体に前鼻緒芯をセレーション加工して回動自在に設け、前記の装着器内部に入れた前鼻緒を上下に移動させる螺子付き回転体を回転させることにより前鼻緒を上下に移動して調整し、鼻緒の左右鼻緒芯は左右後ろ鼻緒の取付け孔より鼻緒芯の端部を入れて、鼻緒芯載せ台に固定する寸法調整手段を有することを特徴とする鼻緒の寸法調整装置。
【請求項２】
鼻緒芯の芯載せ台に左右鼻緒芯を載せてを重ね合わせて寸法調整し、鼻緒芯を押さえ板で押さえ、押さえ板を押さえる蓋を蓋固定鉤で芯載せ台に固定する寸法調整手段を有することを特徴とする請求項１に記載の鼻緒の寸法調整装置。
【請求項３】
押さえ蓋を蓋固定鉤で芯載せ台に固定する寸法調整手段は、履物台の裏面において蓋固定鉤を着脱可能にし、左右後ろ鼻緒芯に設けた滑り止め凹凸部の噛み合わせを変更可能にすることを特徴とする請求項１又は２に記載の鼻緒の寸法調整装置。
【請求項４】
左右後ろ鼻緒芯を芯載せ台に押さえる押さえ板には、鼻緒芯に接する後ろ鼻緒芯連結溝を有する寸法調整手段であることを特徴とする請求項１乃至請求項３のいづれかの項に記載の鼻緒の寸法調整装置。
【発明の詳細な説明】
【技術分野】
【０００１】
本発明は、履物の鼻緒の寸法調整が容易な寸法調整装置に関するものである。
【背景技術】
【０００２】
履物の中で、鼻緒は、履物台の形状や使用目的を問わず、履物を履くことができる使用感を高める利点があるので、実用上の履物の生命としてポイントである。
通常の履物での実用の鼻緒は、履物本体の利用目的やサイズなどで、さまざまな取付け方があっても基本的には、履物台に開けた取付け孔に前鼻緒下部と後ろ鼻緒の先端部を取り付けるのに多くの職人技で、履物の履き心地が決定されるので実用上十分であった。ところが、履物は機械的に量産され、鼻緒を本体に挿げる部分を一様に取り付けるのみでは、履物使用者の要望に応える十分な対応ができているとは言えなかった。
【０００３】
履物は、使用者の個性に合わせて職人芸で調整することが一般的であった。しかし、機械的な方法で履物を生産して提供するときには、使用者のそれぞれの足に合わせた個性的な履き心地を実現し且つ使用上の緩みを生じにくくするため、鼻緒と台本体との接続を十分に確保すると同時に鼻緒の微調整をする必要がある。履物の使用後には前鼻緒の高さと後ろ鼻緒の緩みが大きくなるので、鼻緒も機械的に取り付けられるために、鼻緒の締め加減を個性に応じて後で調整できないという欠点があった。
【０００４】
一般履物の鼻緒を調整する用途において、この欠点は履物の使用上において大きな障害である。具体的には、不必要にきつく締めていたり、緩すぎたり、あるいは、機械的な取付けや取付けの上手下手の違いが極端に現れ、個性的に必要な締め加減の頃合が欠落したりするなどの問題があった。
【０００５】
この改善策として、履物においても鼻緒の調整が可能な方法がいくつかの提案として公開されてはいるものの、いずれの方法も十分な効果があるものではない。例として、特許文献に使用された言語並びに符号をそのまま援用して説明する。
特許文献１の場合
一対の前緒構成要素３１，３２を具備し、かつこれらの自由端部を連結用面ファスナ５０ａ，５０ｂによって互いに位置調整可能に連結したものがある。
特許文献２の場合
第１係止具８が第１保持体９に基台２の裏面で脱着自在に保持され、また１対の第２係止具１２が第２保持体１６により基台２の裏面で長さ調整可能にかつ脱着自在に連結保持される。
特許文献３の場合
底板１又は基台２に鼻緒先２ａを固定一体成型化又は係止し、二個の鼻緒元２ｂを自由端とし、貫通孔４(履物の底板１又は基台の底面中間部に長手中心線に直交する凹部に開口する。)のそれぞれに鼻緒元２ｂを挿入し、凹部３内で突出させて折り曲げ、折り曲げ部並びに凹部に着脱可能な接着シート５を接着する。両面接着シートを接着し、その上に鼻緒元２ｂの折り曲げ部を接着してもよい。
特許文献４の場合  
前鼻緒の芯体に螺子を設けて、この螺子に調整具を螺合して前鼻緒を調整して、調整具を草履の裏側に固定する。一端固定するとその固定を解かないと調整不能である。
しかしながらこれらの方法でも、使用者の足の大きさ、形状、使用状況のため無視できない寸法の調整幅を確保する必要がある。後ろ鼻緒の取り付け孔から鼻緒芯を左右差し込んで連結しても、後ろ鼻緒の調整幅、前鼻緒の高さ調整などに最低５mm程度は必要となる。足型の個性差により微調整幅も煩雑になる。履物に一旦取付けた鼻緒芯の連結を解いても、再び取り付けが容易であることが望まれる。
【特許文献１】特開２００２−０４５２０２号公報
【特許文献２】特開平１１−１６４７０９号公報
【特許文献３】特開平０９−１６４００４号公報
【特許文献４】実開平１−１５５８０１号公報
【発明の開示】
【発明が解決しようとする課題】
【０００６】
解決しようとする問題点は、人の足に合わせて既製品の履物の鼻緒の締め具合を調整する操作において障害となる鼻緒及び前鼻緒を容易に伸縮したり、鼻緒を取り付けたら一旦鼻緒を解くとその後強固に取付けることができない点である。
【課題を解決するための手段】
【０００７】
本発明は、前鼻緒の取り付け孔に装着した回転体の装着器の回転体をドライバーで調節し、前鼻緒の寸法を上下移動可能にし及びその後ろ鼻緒の取り付け孔に装着した左右鼻緒芯をその鼻緒芯の寸法調整手段により常に鼻緒の芯の寸法を調整して、履物の前鼻緒の高さ方向に対して位置を調整し、履物の裏面で水平な方向に対して後ろ鼻緒芯の位置を調整することを可能にすることを最も主要な特徴とする。
【発明の効果】
【０００８】
本発明の鼻緒の調整装置は、前鼻緒の上下移動回転体を回して前鼻緒の上下位置を調整し、又左右後ろ鼻緒芯の合わせ位置を調整することにより、後ろ鼻緒の寸法を調整できるので、店頭或いは玄関先で履物の使用者の足の条件に応じ、或いは使用して緩みが生じた場合にも、随時、前鼻緒と後ろ鼻緒を常に調整できるという利点がある。
【発明を実施するための最良の形態】
【０００９】
可能な限り器具を用いないでドライバーのみで鼻緒を調整するという目的を、最小の部品点数で、履物の履き心地を損なわずに実現した。
【実施例１】
【００１０】
図１〜１３は、本発明装置の１実施例を説明するものである。  １は、  履物台、  ２は、  前鼻緒取り付け孔、  ３は、  後鼻緒取り付け孔、  ４は、  鼻緒芯、  ５は、  滑り止め凹凸部、  １０は、  前鼻緒芯、  １１は、  前鼻緒を上下に移動させる螺子付き回転体、１１ａは回転体周囲に付けた螺子  １２は、  回転体の装着器、  １３は、  ドライバー装着孔、  ２０は、  鼻緒芯の寸法調整手段、  ２１は、  押さえ蓋、  ２２は、  左右後ろ鼻緒の芯載せ台、  ２３，２３’は、  鼻緒芯押さえ板、  ２４は、  左右後ろ鼻緒の鼻緒芯連結溝、  ２５は、  目隠、  ２６は、  蓋固定鉤である。
【００１１】
一般に鼻緒の構成は、鼻緒の芯を覆う柔らかくて肌触りのよい、皮や綿、布など繊維製品又は樹脂製品で覆われている。鼻緒の前方には、履物の台に穿った前鼻緒取り付け孔２を設け、その孔に鼻緒にかけてある前鼻緒が取付けられている。
前鼻緒の機能について説明すると、前鼻緒は鼻緒芯４にかける前鼻緒芯１０と、前鼻緒芯を上下に移動させる螺子つき回転体１１と、この回転体を装着するための装着器１２を図４に示すように構成されている。前鼻緒芯１０の先端部はセレーション（ｓｅｒｒａｔｉｏｎ）加工されている。該先端部は、半切した回転体を一体に合わせた回転体１１の中で回転自由に装着されている。回転体１１は、その周囲に螺子が切られているので、内部螺子を有する装着器１２の中にねじ込まれているものであって、ドライバーの装着溝１３を回転体１１の底部に設け、履物の外部からドライバーで回転可能にする。ドライバーの回転によって回転体１１を回して、装着器１２内の回転体１１を上下に移動させることにより、前鼻緒芯１０が自在であるから前鼻緒を上下に移動して、前鼻緒の高さを調整する作用がある。本発明の主体は、鼻緒の装着装置にあるので、履物本体の詳しい説明は省略する。
【００１２】
後ろ鼻緒の機能について説明すれば、左右後ろ鼻緒により足に履物台を履くことができるものである。左右後ろ鼻緒の結び目は、履物台に穿った左右後ろ鼻緒取り付け孔に鼻緒の端部を通して、履物台の裏面で堅く連結されている。このように硬く鼻緒が取り付けられてしまうと鼻緒を調整することはきわめて難しい。その故に、鼻緒の取り付けが専門職になり、この職人が少なくなってくると需要者の足に合わせて履物を使用するに際して問題が生じることになる。
【００１３】
図７において本発明の実施例を説明すると、前記の問題を解決するため鼻緒芯４には、樹脂製の素材で、芯の両側の部分に滑り止めの凹凸６を設け、両端部を重ね合わせると凹凸が噛み合って、外れないようにして、履物台の裏面で鼻緒芯４の寸法調整手段２０（図８，９に示す。）を用いて連結できるようにしている。更に図１，２，３に基づいて説明すると左右の後ろ鼻緒の先端部を後ろ鼻緒取付け孔３に通して、履物台１の裏面で端部分を重ね凹凸を噛み合わせて、寸法調整手段２０で連結した。これは左右鼻緒が噛み合ったまま硬く連結しているから履物の使用中に外れることもなく、又寸法調整手段により素人でも鼻緒の取り付けや寸法の調整が容易になり、素人でも前記の問題に容易に対処することができるようにした。
【００１４】
履物台１の裏面で左右鼻緒芯４の滑り止め凹凸部分が噛み合ったまま、硬く連結することができるようにした寸法調整手段２０の構成について、図９〜１３に表示した拡大図に基づいて説明すると、寸法調整手段２０は  押さえ蓋２１、  鼻緒芯載せ台２２、  鼻緒芯押さえ板２３，２３’、    後鼻緒芯連結溝２４、  目隠  ２５、  蓋固定鉤２６により構成されている。  寸法調整手段２０の機能については、左右後ろ鼻緒芯４の先端部の凹凸形状５を向き合わせて鼻緒芯載せ台２２上で重ね連結し、蓋固定鉤２６を鼻緒芯載せ台２２にかけて押さえ蓋２１で左右後ろ鼻緒芯４を押さえて固定し、使用中に新しい鼻緒が堅すぎたり、鼻緒が緩みを生じてきたような場合には鼻緒芯載せ台２２にかけてある蓋固定鉤２６を外せば寸法を調整できるようにした。
【００１５】
図１２，１３に表示したように、鼻緒芯４は、左右後ろ鼻緒の芯載せ台２２上に載せられ、鼻緒芯載せ台２２に設けた鼻緒芯押さえ板２３をその上に被せて押さえ連結される。鼻緒芯押さえ板２３の機能は、鼻緒芯に重ねて押さえるためのものであって、開閉可能にして押さえ蓋２１で更に上から押さえることによって、その鼻緒芯４に接する面に有する鼻緒芯連結溝２４に入れた左右鼻緒芯の連結が締まり外れないように作用している。
【００１６】
押さえ蓋２１の機能は、丸みを帯びた樋状の形状の押さえ蓋２１の左右に目隠２５と蓋固定鉤２６とを有し、左右後ろ鼻緒芯４の芯載せ台２２に設けた鼻緒芯押さえ板２３に被せて蓋固定鉤２６を掛けて固定するので、連結部の開閉及び芯の寸法の調整を可能にし、連結部を保護し、履物の裏面を美しく仕上げるためのものである。
このような寸法調整手段を採用したので、鼻緒の特性を実効的に劣化することなく、履物の裏面で、後ろ鼻緒の取り付け、寸法の調整が容易になる。さらに、使用者が調整し易く、使用中の履物の前鼻緒及び後ろ鼻緒の寸法の調整を可能にする効果がある。
【００１７】
実施例は、前鼻緒取付け孔３に取付けた装着器１２内の回転体１１のドライバー装着孔１３をドライバーで回転することによって、前鼻緒の上下移動の微調整幅が約５ミリメートル以内でできるし、又後ろ鼻緒の場合は鼻緒芯の凹凸形状の噛みあわせを各々切替えて寸法を変えて使用することもできる。履物の使用感を良くするためには、履物本体に対する鼻緒の取付け条件の良いことが要となるので、この調整機能は履物の利用性向上と使用対象の拡大におおいに役立つことができる。
【産業上の利用可能性】
【００１８】
本発明は、履物台の前鼻緒取り付け孔、及び後ろ鼻緒取付け孔に鼻緒を取付けることが容易であり、履物に鼻緒を取付けた後は、履物台に装着した装着器の回転体を外部よりドライバーを用いて回すことで、容易に前鼻緒を上下移動することができ、後ろ鼻緒取り付け孔に鼻緒芯の左右端部を挿入し、後ろ鼻緒芯載せ台上で左右重ね合わせた鼻緒芯を鼻緒芯押さえ板で押さえ、押さえ蓋をその上に被せて蓋についている固定鉤を後ろ鼻緒芯載せ台にかけることにより、履物の裏面で左右後ろ鼻緒端部の連結を変更することも容易である。従って、特別な職人の手を借りなくても鼻緒の取付けや調整が容易にできるようにしてあり、前鼻緒及び後ろ鼻緒の取り付けをすることが必要かつ店頭や使用者の玄関先で履き心地を良くするためには需要者の足の条件に合わせて履物の鼻緒の調整が不可欠な用途にも適用できる。
【図面の簡単な説明】
【００１９】
【図１】鼻緒の寸法調整装置を実施した履物裏面の斜視図である。（実施例１）
【図２】同上実施方法を示した説明図である。（実施例１）
【図３】鼻緒の実施方法を示した履物表面の説明図である。（実施例１）
【図４】前鼻緒の構成を示した組み立て図である。（実施例１）
【図５】前鼻緒の寸法調整装置の実施方法を説明した履物の前部分断面を示す組み立て図である。（実施例１）
【図６】同上実施方法を前部分断面において示した説明図である。（実施例１）
【図７】鼻緒芯の斜視図である。（実施例１）
【図８】鼻緒芯の寸法調整手段を示した斜視図である。（実施例１）
【図９】鼻緒芯の寸法調整手段の実施方法を示した拡大斜視図である。（実施例１）
【図１０】鼻緒芯の寸法調整手段の平面図である。（実施例１）
【図１１】鼻緒芯の寸法調整手段の実施方法を平面より表示した説明図である。（実施例１）
【図１２】鼻緒芯の寸法調整手段の実施方法を示した側面の説明図である。（実施例１）
【図１３】鼻緒芯の寸法調整手段の実施方法を示した側面の説明図である。（実施例１）
【符号の説明】
【００２０】
１    履物台（履物の本体）
２    前鼻緒取り付け孔
３    後鼻緒取り付け孔
４    鼻緒芯
５    滑り止め凹凸部
１０    前鼻緒芯
１１    前鼻緒を上下に移動させる螺子付き回転体
１２    回転体の装着器
１３    ドライバー装着孔
２０    鼻緒芯の寸法調整手段  
２１    押さえ蓋
２２    左右後ろ鼻緒の芯載せ台
２３，２３’    鼻緒芯押さえ板
２４    後ろ鼻緒芯連結溝
２５    目隠
２６    蓋固定鉤
【図１】
2006006350.tif 000003
【図２】
2006006350.tif 000004
【図３】
2006006350.tif 000005
【図４】
2006006350.tif 000006
【図５】
2006006350.tif 000007
【図６】
2006006350.tif 000008
【図７】
2006006350.tif 000009
【図８】
2006006350.tif 000010
【図９】
2006006350.tif 000011
【図１０】
2006006350.tif 000012
【図１１】
2006006350.tif 000013
【図１２】
2006006350.tif 000014
【図１３】
2006006350.tif 000015